(57)【要約】【課題】電子ペンによる描画を行うプロジェクターで、使用後に電子ペンを所定の場所に戻し忘れることを防止することができるプロジェクターを提供する。【解決手段】制御手段２０は、プロジェクター１が描画モードでの動作中に、電子ペンによる描画を受け付けていない状態で所定の時間Ｔ１を経過した場合（ステップＳ１０６：Ｙ）、電子ペン４０がペン収納部３に収納されていなければ（ステップＳ１０７：Ｎ）、電子ペン４０の収納を促すペン収納警告メッセージＭ１を画像投写手段１０により投写させる（ステップＳ１０８）。【選択図】図６
2015158652.tif 000002
【特許請求の範囲】
【請求項１】
光源から射出された光を画像情報に応じて変調し、投写する画像投写手段と、前記画像
投写手段を収容する筐体と、を有するプロジェクターであって、
前記筐体は電子ペンを収納するペン収納部を備え、
前記電子ペンの指し示す位置を検出する位置検出手段と、
前記位置検出手段の検出結果に基づいて描画データを生成し、描画画像を前記画像投写
手段に投写させる描画手段と、
前記ペン収納部に前記電子ペンが収納されているか否かを検出するペン収納検出手段と
、
前記電子ペンによる操作が所定の時間検出されなかった場合、前記電子ペンが前記ペン
収納部に収納されていなければ、前記電子ペンを収納するよう促すメッセージを前記画像
投写手段に投写させる制御手段と、を備えたことを特徴とするプロジェクター。
【請求項２】
請求項１に記載のプロジェクターであって、
前記制御手段は、当該プロジェクターが電源オフの操作を受け付けたとき、前記電子ペ
ンが前記ペン収納部に収納されるまで、電源オフを保留することを特徴とするプロジェク
ター。
【請求項３】
請求項１または２に記載のプロジェクターであって、
当該プロジェクターの使用時に前記電子ペンによる描画を行う描画モードと、前記電子
ペンによる描画を行わない通常モードとのいずれかを設定するモード設定手段をさらに備
え、
前記制御手段は、前記描画モードから前記通常モードに切り替えたとき、前記電子ペン
が前記ペン収納部に収納されていなければ、前記電子ペンを収納するよう促すメッセージ
を前記画像投写手段に投写させることを特徴とするプロジェクター。
【請求項４】
請求項３に記載のプロジェクターであって、
前記モード設定手段は、当該プロジェクターが前記通常モードでの動作中に、前記電子
ペンが前記ペン収納部から取り出されたことが検出された場合に、前記描画モードに切り
替えることを特徴とするプロジェクター。
【請求項５】
光源から射出された光を画像情報に応じて変調し、投写する画像投写手段と、前記画像
投写手段を収容する筐体と、を有するプロジェクターの制御方法であって、
前記筐体は電子ペンを収納するペン収納部を備え、
前記電子ペンの指し示す位置を検出する位置検出ステップと、
前記位置検出ステップにて検出された検出結果に基づいて描画データを生成し、描画画
像を前記画像投写手段に投写させる描画ステップと、
前記ペン収納部に前記電子ペンが収納されているか否かを検出するペン収納検出ステッ
プと、
前記電子ペンによる操作が所定の時間検出されなかった場合、前記電子ペンが前記ペン
収納部に収納されていなければ、前記電子ペンを収納するよう促すメッセージを前記画像
投写手段に投写させる制御ステップと、を有することを特徴とするプロジェクターの制御
方法。
【発明の詳細な説明】
【技術分野】
【０００１】
本発明は、画像を投写するプロジェクター、およびプロジェクターの制御方法に関する
。
【背景技術】
【０００２】
学校の授業などで、プロジェクターを使う場合、投写した画像に文字や図形を書きこん
で説明したいことがあった。この場合、画像データを入力するパーソナルコンピューター
（パソコン／ＰＣ）の画面上でマウスなどのポインディングデバイスを操作し、文字や図
形を入力する方法の他、近年では下記の特許文献１のように、スクリーン上に投写した画
像上で電子ペンを操作し、文字や図形を書きこむ装置（電子黒板システム）が開示されて
いる。しかしながら、特許文献１のシステムではプロジェクターと電子ペンを別々に扱う
ため、プロジェクターを使用終了後に電子ペンを元の場所に戻すのを忘れ、なくしてしま
う虞があった。
【０００３】
また、特許文献２には、入力ペンを用いた電子機器（ペン入力情報処理装置）において
、電源オフ時に入力ペンが収納されるまで電源オフを保留する機器が提案されている。こ
のような機器によれば、電源オフ時に入力ペンを収納するのを忘れるのを防止することが
できる。
【先行技術文献】
【特許文献】
【０００４】
【特許文献１】特開２０１１−１４０１５４号公報
【特許文献２】特開２０００−１３２３２２号公報
【発明の概要】
【発明が解決しようとする課題】
【０００５】
しかしながら、プロジェクターは使用時には電子ペンによる描画、操作は行わないこと
がある。このため、画像投写時に電子ペンによる描画を行った後、電子ペンを使わない状
態で画像の投写のみを行っていた場合、電源オフ時には電子ペンをどこへ置いたのかわか
らなくなってしまうことがあった。
【課題を解決するための手段】
【０００６】
本発明は、上述の課題の少なくとも一部を解決するためになされたものであり、以下の
形態または適用例として実現することが可能である。
【０００７】
［適用例１］本適用例に係るプロジェクターは、光源から射出された光を画像情報に応
じて変調し、投写する画像投写手段と、前記画像投写手段を収容する筐体と、を有するプ
ロジェクターであって、前記筐体は電子ペンを収納するペン収納部を備え、前記電子ペン
の指し示す位置を検出する位置検出手段と、前記位置検出手段の検出結果に基づいて描画
データを生成し、描画画像を前記画像投写手段に投写させる描画手段と、前記ペン収納部
に前記電子ペンが収納されているか否かを検出するペン収納検出手段と、前記電子ペンに
よる操作が所定の時間検出されなかった場合、前記電子ペンが前記ペン収納部に収納され
ていなければ、前記電子ペンを収納するよう促すメッセージを前記画像投写手段に投写さ
せる制御手段と、を備えたことを特徴とする。
【０００８】
本適用例によれば、電子ペンをペン収納部に収納せず、しばらくの間使わなかった場合
に、プロジェクターが収納を促すメッセージを投写するので、電子ペンを使用しないとき
にペン収納部に収納し忘れ、紛失してしまうことを防止することができる。
【０００９】
［適用例２］上記適用例に記載のプロジェクターにおいて、前記制御手段は、当該プロ
ジェクターが電源オフの操作を受け付けたとき、前記電子ペンが前記ペン収納部に収納さ
れるまで、電源オフを保留することが好ましい。
【００１０】
本適用例によれば、プロジェクターの電源オフ時に電子ペンがペン収納部に収納されて
いない場合、電源オフを保留するので、プロジェクターの電源オフ時に電子ペンを収納し
忘れ、紛失してしまうことを防止することができる。
【００１１】
［適用例３］上記適用例に記載のプロジェクターにおいて、当該プロジェクターの使用
時に前記電子ペンによる描画を行う描画モードと、前記電子ペンによる描画を行わない通
常モードとのいずれかを設定するモード設定手段をさらに備え、前記制御手段は、前記描
画モードから前記通常モードに切り替えたとき、前記電子ペンが前記ペン収納部に収納さ
れていなければ、前記電子ペンを収納するよう促すメッセージを前記画像投写手段に投写
させることが好ましい。
【００１２】
本適用例によれば、電子ペンによる描画を行う描画モードから、描画を行わない通常モ
ードに切り替えたとき、電子ペンがペン収納部に収納されていなければ、プロジェクター
が収納を促すメッセージを投写するので、通常モードに切り替えるときに電子ペンを収納
し忘れ、紛失してしまうことを防止することができる。
【００１３】
［適用例４］上記適用例に記載のプロジェクターにおいて、前記モード設定手段は、当
該プロジェクターが前記通常モードでの動作中に、前記電子ペンが前記ペン収納部から取
り出されたことが検出された場合に、前記描画モードに切り替えることが好ましい。
【００１４】
本適用例によれば、通常モードでの動作中に電子ペンをペン収納部から取り出すだけで
描画モードに切り替えることができる。
【００１５】
［適用例５］本適用例に係るプロジェクターの制御方法は、光源から射出された光を画
像情報に応じて変調し、投写する画像投写手段と、前記画像投写手段を収容する筐体と、
を有するプロジェクターの制御方法であって、前記筐体は電子ペンを収納するペン収納部
を備え、前記電子ペンの指し示す位置を検出する位置検出ステップと、前記位置検出ステ
ップにて検出された検出結果に基づいて描画データを生成し、描画画像を前記画像投写手
段に投写させる描画ステップと、前記ペン収納部に前記電子ペンが収納されているか否か
を検出するペン収納検出ステップと、前記電子ペンによる操作が所定の時間検出されなか
った場合、前記電子ペンが前記ペン収納部に収納されていなければ、前記電子ペンを収納
するよう促すメッセージを前記画像投写手段に投写させる制御ステップと、を有すること
を特徴とする。
【００１６】
本適用例によれば、電子ペンをペン収納部に収納せず、しばらくの間使わなかった場合
に、プロジェクターが収納を促すメッセージを投写するので、電子ペンを使用しないとき
にペン収納部に収納し忘れ、紛失してしまうことを防止することができる。
【図面の簡単な説明】
【００１７】
【図１】実施形態に係るプロジェクターの使用形態を示す説明図。
【図２】実施形態に係るプロジェクターの外観斜視図。
【図３】電子ペンの外観図。
【図４】実施形態に係るプロジェクターの回路構成を示すブロック図。
【図５】投写画像を説明するための模式図。
【図６】プロジェクターの描画モード時の動作を示すフローチャート。
【図７】プロジェクターが電源オフ操作を受け付けたときの動作を示すフローチャート。
【発明を実施するための形態】
【００１８】
以下、図面を参照して本発明の一実施形態について説明する。
なお、以下の実施形態は特許請求の範囲にかかる発明を限定するものではなく、また、
実施形態における特徴の組み合わせの全てが発明の解決手段に必須であるとは限らない。
【００１９】
（実施形態）
図１は本実施形態のプロジェクター１の使用形態を示す説明図である。図１に示すよう
に、プロジェクター１は机ＤＫの上に置かれ、投写面ＳＣに画像を投写している。ユーザ
ーＨは投写面ＳＣ上で電子ペン４０を使って描画操作を行う。プロジェクター１は、後で
説明するペン操作検出手段２５（図４参照）により電子ペン４０が指し示す位置などの操
作情報を検出する。そしてプロジェクター１は、電子ペン４０の描画操作に基づく描画画
像Ｄ１を投写画像Ｇ１に合成し、投写面ＳＣに投写する。
【００２０】
図２は本実施形態のプロジェクター１の外観斜視図であり、斜め前方から見た図である
。なお、本実施形態では、画像を投写する方向を前方として説明する。
【００２１】
図２に示すように、プロジェクター１は上面２Ｔ、左面２Ｌ、前面２Ｆなどを有する筐
体２を有している。
筐体２の前面２Ｆには開口部が形成され、この開口部から投写面ＳＣ（図１参照）等に
画像を投写する投写レンズ１３の先端が露出している。
【００２２】
筐体２の上面２Ｔには、複数の操作キーから構成され、プロジェクター１に各種指示を
行うための入力操作手段２３が備えられている。
【００２３】
左面２Ｌに隣接する筐体２の上面２Ｔの部位から左面２Ｌにかけて電子ペン４０を収納
するペン収納部３が形成されており、ペン収納部３は、ペンカバー３Ａによって開閉可能
になっている。ペン収納部３には、図２では示していないが、ペン収納検出手段２６（図
４参照）が備えられており、電子ペン４０がペン収納部３に収納されているか否かを検出
できるようになっている。
【００２４】
図３は電子ペン４０の外観図である。
図３に示すように、電子ペン４０は先端が尖ったペン型の筐体４０Ａを有し、筐体４０
Ａの先端にペン先スイッチ４０Ｂと、赤外光を発する発光部４０Ｃとを備えている。後述
するプロジェクター１のペン操作検出手段２５が赤外光を撮像し、電子ペン４０が指し示
す位置を検出する。
【００２５】
図４は本実施形態のプロジェクター１の回路構成を示すブロック図である。図４に示す
ように、プロジェクター１は、画像入力端子６、画像投写手段１０、ＯＳＤ処理手段１６
、画像信号処理手段１７、画像信号入力手段１８、制御手段２０、記憶手段２１、光源制
御手段２２、入力操作手段２３、ペン操作検出手段２５、ペン収納検出手段２６、電源端
子３０、電源部３１等で構成されており、これらは、プロジェクター１の筐体２（図２参
照）の内部、または外面に収容されている。
【００２６】
画像投写手段１０は、光源１１、光変調装置としての３つの液晶ライトバルブ１２Ｒ，
１２Ｇ，１２Ｂ、投写光学系としての投写レンズ１３、液晶駆動手段１４等を含んでいる
。画像投写手段１０は、光源１１から射出された光を、液晶ライトバルブ１２Ｒ，１２Ｇ
，１２Ｂで変調し、投写レンズ１３から投写することによって投写面ＳＣ等に画像を表示
する。
【００２７】
光源１１は、超高圧水銀ランプやメタルハライドランプ等からなる放電型の光源ランプ
１１ａと、光源ランプ１１ａが放射した光を液晶ライトバルブ１２Ｒ，１２Ｇ，１２Ｂ側
に反射するリフレクター１１ｂとを含んで構成されている。
光源１１から射出された光は、図示しないインテグレーター光学系によって輝度分布が
略均一な光に変換され、図示しない色分離光学系によって光の３原色である赤色（Ｒ），
緑色（Ｇ），青色（Ｂ）の各色光成分に分離された後、それぞれ液晶ライトバルブ１２Ｒ
，１２Ｇ，１２Ｂに入射する。
【００２８】
液晶ライトバルブ１２Ｒ，１２Ｇ，１２Ｂは、一対の透明基板間に液晶が封入された液
晶パネル等によって構成される。液晶ライトバルブ１２Ｒ，１２Ｇ，１２Ｂには、マトリ
ックス状に配列された複数の画素（図示せず）が形成されており、液晶に対して画素毎に
駆動電圧を印加可能になっている。
液晶駆動手段１４が、入力される画像情報に応じた駆動電圧を各画素に印加すると、各
画素は、画像情報に応じた光透過率に設定される。このため、光源１１から射出された光
は、この液晶ライトバルブ１２Ｒ，１２Ｇ，１２Ｂを透過することによって変調され、画
像情報に応じた画像光が色光毎に形成される。
形成された各色の画像光は、図示しない色合成光学系によって画素毎に合成されてカラ
ーの画像光となった後、投写レンズ１３によって投写面ＳＣ等に拡大投写される。
【００２９】
本実施形態では、光源１１として光源ランプ１１ａを用いて投写するプロジェクター１
を例示したが、光源としてＬＥＤ（Light emitting diode）光源やレーザー光源等を用い
て投写するプロジェクターにも適用することができる。
【００３０】
なお、本実施形態では、画像投写手段１０は、３つの液晶ライトバルブ１２Ｒ，１２Ｇ
，１２Ｂを用いた透過型液晶方式の投写光学系を例示したが、反射型液晶表示方式やマイ
クロミラーデバイス方式（ライトスイッチ表示方式）等、他の表示方式の光変調装置を採
用しても良い。
【００３１】
画像信号入力手段１８は、複数の画像入力端子６より、ビデオ再生装置やパーソナルコ
ンピューター等、外部の画像出力装置から、図示しないケーブル、又は通信機器等を介し
て画像情報が入力される。入力された画像情報は、制御手段２０の指示に基づき、画像信
号処理手段１７に出力される。なお、画像信号入力手段１８は、無線通信や光通信等の受
信部を備え、外部機器から無線によって画像信号を入力する構成にしてもよい。
【００３２】
画像信号処理手段１７は、制御手段２０の指示に基づき、画像信号入力手段１８から入
力される画像情報を、液晶ライトバルブ１２Ｒ，１２Ｇ，１２Ｂの各画素の階調を表す画
像情報に変換する。ここで、変換された画像情報は、赤（Ｒ），緑（Ｇ），青（Ｂ）の色
光別になっており、各液晶ライトバルブ１２Ｒ，１２Ｇ，１２Ｂのすべての画素に対応す
る複数の画素値によって構成されている。画素値とは、対応する画素の光透過率を定める
ものであり、この画素値によって、各画素を透過し射出する光の強弱（階調）が規定され
る。
【００３３】
ＯＳＤ処理手段１６は、制御手段２０の指示に基づいて、投写画像上に、メニュー画像
やメッセージ画像等のＯＳＤ（オンスクリーンディスプレイ）画像を重畳して表示するた
めの処理を行う。ＯＳＤ処理手段１６は、図示しないＯＳＤメモリーを備えており、ＯＳ
Ｄ画像を形成するための図形やフォント等を表すＯＳＤ画像情報を記憶している。
【００３４】
制御手段２０が、ＯＳＤ画像の重畳表示を指示すると、ＯＳＤ処理手段１６は、必要な
ＯＳＤ画像情報をＯＳＤメモリーから読み出し、投写画像上の所定の位置にＯＳＤ画像が
重畳されるように、画像信号処理手段１７から入力される画像情報にこのＯＳＤ画像情報
を合成する。ＯＳＤ画像情報が合成された画像情報は、液晶駆動手段１４に出力される。
なお、制御手段２０からＯＳＤ画像を重畳する旨の指示がない場合には、ＯＳＤ処理手
段１６は、画像信号処理手段１７から入力される画像情報を、そのまま液晶駆動手段１４
に出力する。
【００３５】
液晶駆動手段１４がＯＳＤ処理手段１６から入力される画像情報に従って液晶ライトバ
ルブ１２Ｒ，１２Ｇ，１２Ｂを駆動すると、液晶ライトバルブ１２Ｒ，１２Ｇ，１２Ｂは
、画像情報に応じた画像を形成し、この画像が投写レンズ１３から投写される。
【００３６】
制御手段２０は、ＣＰＵ（Central Processing Unit）や、各種データ等の一時記憶に
用いられるＲＡＭ（Random Access Memory）等を備え、記憶手段２１に記憶されている制
御プログラム（図示せず）に従って動作することによりプロジェクター１の動作を統括制
御する。つまり、制御手段２０は、記憶手段２１とともにコンピューターとして機能する
。制御手段２０は、ペン操作検出手段２５が検出した電子ペン４０の位置情報に基づく描
画データを生成して記憶手段２１に保存し、画像投写手段１０により画像データに重畳さ
せて投写させる描画手段にも相当する。制御手段２０は図示しない時間を計時するタイマ
ーを含む。また、制御手段２０は、電子ペン４０による描画を行う描画モードと、描画を
行わない通常モードのいずれかを設定するモード設定手段２０１を含む。
【００３７】
記憶手段２１は、フラッシュメモリーやＦｅＲＡＭ等の書き換え可能な不揮発性のメモ
リーにより構成されており、プロジェクター１の動作を制御するための制御プログラムや
、プロジェクター１の動作条件等を規定する各種設定データ等が記憶されている。記憶手
段２１には電子ペン４０による描画データなどが記憶される。
【００３８】
光源制御手段２２は、制御手段２０の指示に基づいて、光源１１に対する電力の供給と
停止とを制御し、光源１１の点灯および消灯を切り替える。
【００３９】
入力操作手段２３は、詳細な図示は省略するが、ユーザーＨがプロジェクター１に対し
て各種指示を行うための複数の操作キーを備え、前述したように、筐体２（図２参照）の
外面に配置される。
【００４０】
入力操作手段２３が備える操作キーとしては、電源のオン・オフを交互に切り替えるた
めの電源キーや、複数の画像入力端子６を切り替えるための入力切替キー、設定メニュー
等を重畳表示させるためのメニューキー、設定メニュー等で項目の選択に用いられる方向
キー（上下左右に対応する４つの操作キー）、選択された項目を確定させる決定キー、動
作の取り消し等を行うための取消キー、電子ペン４０による描画を行う描画モードと描画
を行わない通常モードを切り替えるモード切替キー等がある。
【００４１】
ユーザーＨが入力操作手段２３の各種操作キーを操作すると、入力操作手段２３は、ユ
ーザーＨの操作内容に応じた操作信号を制御手段２０に出力する。なお、入力操作手段２
３は、リモートコントローラー（リモコン）信号受信手段（図示せず）と遠隔操作が可能
なリモートコントローラー（図示せず）を有した構成としてもよい。この場合、リモート
コントローラーは、ユーザーの操作内容に応じた赤外線等の操作信号を発し、リモコン信
号受信手段がこれを受信して制御情報として制御手段２０に伝達する。
【００４２】
ペン操作検出手段２５は、位置検出手段に相当するものであり、図示しない撮像素子等
で構成されている。ペン操作検出手段２５は、制御手段２０の指示に基づいて、電子ペン
４０の操作位置（座標）、およびペン先スイッチ４０Ｂ（図３参照）の押下状態等のペン
操作状態を検出し、検出したペン操作情報を制御手段２０に通知する。
【００４３】
ペン収納検出手段２６は、図示しないメカニカルスイッチなどから構成され、プロジェ
クター１のペン収納部３に電子ペン４０が収納されているか否かの検出結果を制御手段２
０に通知する。制御手段２０は、ペン収納検出手段２６の検出結果に基づいて、警告メッ
セージを投写させる。
【００４４】
電源部３１には、ＡＣ１００Ｖ等の電力が電源端子３０を介して外部から供給される。
電源部３１は、例えば、商用電源（交流電源）を所定の電圧の直流電源に変換して、プロ
ジェクター１の各部に変換した電力を供給する。また、電源部３１は、制御手段２０の指
示に基づいて、画像の投写に必要な電力（動作電力）を各部に供給する状態（電源オン状
態）と、動作電力の供給を停止して、電源をオンにするための操作を待機する状態（スタ
ンバイ状態）とを切り替えることができる。
【００４５】
次にプロジェクター１の動作に応じて遷移する投写画像について説明する。
図５は、投写画像を説明するための模式図であり、それぞれの状態の一例を示す図であ
る。具体的に、図５（ａ）は描画モード時の状態を示す図、図５（ｂ）は第１警告状態を
示す図、図５（ｃ）は第２警告状態を示す図、図５（ｄ）は通常モード時の状態を示す図
、図５（ｅ）は第３警告状態を示す図、図５（ｆ）は電源オフ状態（スタンバイ状態）を
示す図である。
【００４６】
図５（ａ）に示すように、プロジェクター１が描画モードで動作している状態では、投
写面ＳＣには投写画像Ｇ１が投写され、電子ペン４０により描画画像Ｄ１が重畳されて描
画されている。
図５（ａ）に示す描画モードの動作状態において、電子ペン４０による描画を行わない
状態が所定の時間Ｔ１（例えば、５分）を経過したとき、電子ペン４０がペン収納部３に
収納されていない場合には、図５（ｂ）に示すように、第１警告状態に遷移し、電子ペン
４０をペン収納部３に収納するよう促すペン収納警告メッセージＭ１が投写される。
【００４７】
また、図５（ａ）の描画モードの動作状態において、入力操作手段２３による通常モー
ドへの切替操作を検出したとき、電子ペン４０がペン収納部３に収納されていない場合に
は、図５（ｃ）に示すように、第２警告状態に遷移し、電子ペン４０がペン収納部３に収
納されている場合には図５（ｄ）に示すように、通常モードの状態に遷移する。そして、
第２警告状態では、図５（ｃ）に示すように、電子ペン４０をペン収納部３に収納するよ
う促すペン収納警告メッセージＭ２が投写される。
【００４８】
また、図５（ａ）の描画モードの動作状態において、電源オフ操作を検出したとき、電
子ペン４０がペン収納部３に収納されていない場合には、図５（ｅ）に示すように、第３
警告状態に遷移し、電子ペン４０がペン収納部３に収納されている場合には図５（ｆ）に
示すように、電源オフ状態に遷移する。そして、第３警告状態では、図５（ｅ）に示すよ
うに、電子ペン４０をペン収納部３に収納するよう促すペン収納警告メッセージＭ３が投
写される。
【００４９】
図５（ｂ）に示す第１警告状態において、電子ペン４０による描画操作を受け付けるか
、電子ペン４０がペン収納部３に収納されたことを検出した場合には図５（ａ）に示す描
画モードの動作状態に戻る。
【００５０】
図５（ｃ）に示す第２警告状態において、電子ペン４０がペン収納部３に収納されたこ
とを検出した場合には図５（ｄ）に示す通常モードの動作状態に遷移する。
【００５１】
図５（ｄ）に示すように、通常モードの動作状態においては、投写面ＳＣに投写画像Ｇ
１が投写され、電子ペン４０による描画画像は投写されない。
図５（ｄ）に示す通常モードの動作状態において、電子ペン４０がペン収納部３から取
り出されたことが検出された場合には、図５（ａ）に示す描画モードの動作状態に遷移す
る。
また、図５（ｄ）に示す通常モードの動作状態において、電源オフ操作を検出した場合
には、図５（ｆ）に示す電源オフ状態に遷移する。
【００５２】
図５（ｅ）に示す第３警告状態において、電子ペン４０がペン収納部３に収納されたこ
とが検出された場合には図５（ｆ）に示す電源オフ状態に遷移する。
【００５３】
図５（ｆ）に示すように、電源オフ状態（スタンバイ状態）では画像は投写されない。
【００５４】
次に、本実施形態のプロジェクター１の動作を図６、および図７のフローチャートを用
いて説明する。
図６はプロジェクター１の描画モードおける動作を示すフローチャートであり、図７は
プロジェクター１が電源オフ操作を受け付けたときの動作を示すフローチャートである。
【００５５】
〔描画モードの動作〕
図６に示すように、プロジェクター１が描画モードの動作を開始すると、（ステップＳ
１０１）、制御手段２０はタイマーによる計時を開始し（ステップＳ１０２）、ステップ
Ｓ１０３に遷移する。
【００５６】
ステップＳ１０３において制御手段２０は、ペン操作検出手段２５が電子ペン４０によ
る描画操作を検出したか否かを調べる。電子ペン４０の描画操作を検出した場合（ステッ
プＳ１０３：Ｙ）には、ステップＳ１０４に遷移する。電子ペン４０の描画操作を検出し
ていない場合（ステップＳ１０３：Ｎ）には、ステップＳ１０５に遷移する。ステップＳ
１０３が位置検出ステップに相当する。
【００５７】
ステップＳ１０４において制御手段２０は、ペン操作検出手段２５が検出した電子ペン
４０の位置情報に基づく描画操作を実行し、ステップＳ１０２に遷移する。ステップＳ１
０４が描画ステップに相当する。
【００５８】
ステップＳ１０５において制御手段２０は、入力操作手段２３による通常モードへの切
替操作を受け付けたか否かを調べる。通常モードへの切替操作を受け付けた場合（ステッ
プＳ１０５：Ｙ）にはステップＳ１１２に遷移する。通常モードへの切替操作を受け付け
ていない場合（ステップＳ１０５：Ｎ）には、ステップＳ１０６に遷移する。
【００５９】
ステップＳ１０６において制御手段２０は、タイマーが所定の時間Ｔ１を経過したか否
かを調べる。タイマーが時間Ｔ１を経過した場合（ステップＳ１０６：Ｙ）にはステップ
Ｓ１０７に遷移する。タイマーが時間Ｔ１を経過していない場合（ステップＳ１０６：Ｎ
）には、ステップＳ１０３に遷移する。
【００６０】
ステップＳ１０７において制御手段２０は、電子ペン４０がペン収納部３に収納されて
いるか否かを調べる。電子ペン４０がペン収納部３に収納されている場合（ステップＳ１
０７：Ｙ）にはステップＳ１０３に遷移する。電子ペン４０がペン収納部３に収納されて
いない場合（ステップＳ１０７：Ｎ）には、ステップＳ１０８に遷移する。ステップＳ１
０７がペン収納検出ステップに相当する。
【００６１】
ステップＳ１０８において制御手段２０は、ペン収納警告メッセージＭ１（図５（ｂ）
参照）を画像投写手段１０により投写させ、ステップＳ１０９に遷移する。ステップＳ１
０３からステップＳ１０８が制御ステップに相当する。
【００６２】
ステップＳ１０９において制御手段２０は、ペン操作検出手段２５が電子ペン４０によ
る描画操作を検出したか否かを調べる。電子ペン４０の描画操作を検出した場合（ステッ
プＳ１０９：Ｙ）にはステップＳ１１１に遷移する。電子ペン４０の描画操作を検出して
いない場合（ステップＳ１０９：Ｎ）には、ステップＳ１１０に遷移する。
【００６３】
ステップＳ１１０において制御手段２０は、電子ペン４０がペン収納部３に収納されて
いるか否かを調べる。電子ペン４０がペン収納部３に収納されている場合（ステップＳ１
１０：Ｙ）にはステップＳ１１１に遷移する。電子ペン４０がペン収納部３に収納されて
いない場合（ステップＳ１１０：Ｎ）には、ステップＳ１０９に遷移する。ステップＳ１
１０がペン収納検出ステップに相当する。
【００６４】
ステップＳ１１１において制御手段２０は、ペン収納警告メッセージＭ１を消去し、ス
テップＳ１０２に遷移する。
【００６５】
ステップＳ１１２において制御手段２０は、タイマーによる計時を停止し、ステップＳ
１１３に遷移する。
【００６６】
ステップＳ１１３において制御手段２０は、電子ペン４０がペン収納部３に収納されて
いるか否かを調べる。電子ペン４０がペン収納部３に収納されている場合（ステップＳ１
１３：Ｙ）にはステップＳ１１７に遷移する。電子ペン４０がペン収納部３に収納されて
いない場合（ステップＳ１１３：Ｎ）には、ステップＳ１１４に遷移する。
【００６７】
ステップＳ１１４において制御手段２０は、ペン収納警告メッセージＭ２（図５（ｃ）
参照）を画像投写手段１０により投写させ、ステップＳ１１５に遷移する。
【００６８】
ステップＳ１１５において制御手段２０は、電子ペン４０がペン収納部３に収納されて
いるか否かを調べる。電子ペン４０がペン収納部３に収納されている場合（ステップＳ１
１５：Ｙ）にはステップＳ１１６に遷移する。電子ペン４０がペン収納部３に収納されて
いない場合（ステップＳ１１５：Ｎ）には、ステップＳ１１５に遷移する。
【００６９】
ステップＳ１１６において制御手段２０は、ペン収納警告メッセージＭ２を消去し、ス
テップＳ１１７に遷移する。
【００７０】
ステップＳ１１７においてモード設定手段２０１は、プロジェクター１を通常モードに
設定し、動作させる。通常モードにおける動作は図示を省略するが、動作中に電子ペン４
０がペン収納部３より取り出されたことを検出した場合には図６の描画モードの動作を開
始する（ステップＳ１０１）。
【００７１】
〔電源オフ操作を受け付けたときの動作〕
図７に示すように、プロジェクター１が動作中に入力操作手段２３の電源キーなどによ
る電源オフ操作を受け付けると（ステップＳ２０１）、ステップＳ２０２に遷移する。
【００７２】
ステップＳ２０２において制御手段２０は、電子ペン４０がペン収納部３に収納されて
いるか否かを調べる。電子ペン４０がペン収納部３に収納されている場合（ステップＳ２
０２：Ｙ）にはステップＳ２０５に遷移する。電子ペン４０がペン収納部３に収納されて
いない場合（ステップＳ２０２：Ｎ）には、ステップＳ２０３に遷移する。
【００７３】
ステップＳ２０３において制御手段２０は、ペン収納警告メッセージＭ３（図５（ｅ）
参照）を画像投写手段１０により投写させ、ステップＳ２０４に遷移する。
【００７４】
ステップＳ２０４において制御手段２０は、電子ペン４０がペン収納部３に収納されて
いるか否かを調べる。電子ペン４０がペン収納部３に収納されている場合（ステップＳ２
０４：Ｙ）にはステップＳ２０５に遷移する。電子ペン４０がペン収納部３に収納されて
いない場合（ステップＳ２０４：Ｎ）には、ステップＳ２０４に遷移する。
【００７５】
ステップＳ２０５において制御手段２０は、プロジェクター１の光源１１を消灯し、ス
タンバイ状態に移行させるための電源オフ処理を行い、ステップＳ２０６に遷移する。
【００７６】
ステップＳ２０６において制御手段２０は、プロジェクター１をスタンバイ状態に移行
し、本動作フローを終了する。
【００７７】
上述した実施形態によれば、以下の効果を得られる。
本実施形態のプロジェクター１によれば、電子ペン４０をペン収納部３に収納せず、所
定の時間Ｔ１の間使わなかった場合に収納を促すペン収納警告メッセージＭ１を投写する
ので、電子ペン４０を使用しないときにペン収納部３に収納し忘れ、紛失してしまうこと
を防止することができる。
【００７８】
また、プロジェクター１の電源オフ時に電子ペン４０がペン収納部３に収納されていな
い場合、ペン収納警告メッセージＭ３を投写し、電子ペン４０がペン収納部３に収納され
るまで電源オフを保留するので、プロジェクター１の電源オフ時に電子ペン４０を収納し
忘れ、紛失してしまうことを防止することができる。
【００７９】
また、電子ペン４０による描画を行う描画モードから、描画を行わない通常モードに切
り替えたとき、電子ペン４０がペン収納部３に収納されていなければ収納を促すペン収納
警告メッセージＭ２を投写するので、通常モードに切り替えるときに電子ペン４０を収納
し忘れ、紛失してしまうことを防止することができる。
【００８０】
また、通常モードでの動作中に電子ペン４０をペン収納部３から取り出すだけで描画モ
ードに切り替えることができる。
【００８１】
また、前記実施形態は、以下のように変更してもよい。
（変形例１）  プロジェクター１の筐体２に、電子ペン４０がペン収納部３に収納され
ているか否かを示す報知手段を備えるようにしてもよい。
【００８２】
（変形例２）  前記実施形態では、電子ペン４０を一本収納するプロジェクター１を例
示したが、２本以上の電子ペンを収納するようにしても良い。この場合、ペン収納検出手
段２６はそれぞれの電子ペン４０の収納状態を検出して制御手段２０に通知する。
（変形例３）  また、前記実施形態では、画像を投写するプロジェクター１に適用した
態様を例示したが、本発明の技術的な思想は、このようなプロジェクター１に限定される
ものではない。例えば、画像情報に応じた画像を表示する表示装置に適用できる。即ち、
表示装置に対して使用する電子ペンが所定の収納部に収納されないことにより、電子ペン
が行方不明になり紛失してしまうという課題を解決できる。
尚、このような表示装置は、ブラウン管（CRT）、液晶ディスプレイ、プラズマディス
プレイ、有機ＥＬディスプレイや、ヘッドマウントディスプレイ等を想定する。
【符号の説明】
【００８３】
１…プロジェクター、２…筐体、３…ペン収納部、３Ａ…ペンカバー、６…画像入力端
子、１０…画像投写手段、１１…光源、１２Ｒ，１２Ｇ，１２Ｂ…液晶ライトバルブ、１
３…投写レンズ、１４…液晶駆動手段、１６…ＯＳＤ処理手段、１７…画像信号処理手段
、１８…画像信号入力手段、２０…制御手段、２０１…モード設定手段、２１…記憶手段
、２２…光源制御手段、２３…入力操作手段、２５…ペン操作検出手段、２６…ペン収納
検出手段、３０…電源端子、３１…電源部、４０…電子ペン、４０Ａ…筐体、４０Ｂ…ペ
ン先スイッチ、４０Ｃ…発光部、Ｇ１…投写画像、Ｄ１…描画画像、ＳＣ…投写面。
【図１】
2015158652.tif 000003
【図２】
2015158652.tif 000004
【図３】
2015158652.tif 000005
【図４】
2015158652.tif 000006
【図５】
2015158652.tif 000007
【図６】
2015158652.tif 000008
【図７】
2015158652.tif 000009